(57)【特許請求の範囲】
【請求項１】
拡散コードにより拡散された受信信号と逆拡散コードとの相関をパスサーチ期間毎に各サンプルタイミングについて求め、求めた相関に基づいて該各サンプルタイミングから逆拡散タイミングとして用いるタイミングを選択し、逆拡散部に与えるパスサーチ部を備えた受信装置において、
前記パスサーチ部は、あるサーチ期間における各サンプルタイミングのうち、該あるパスサーチ期間の直前又はそれ以前のパスサーチにより前記逆拡散タイミングとして用いたサンプルタイミングとの間のタイミング差が所定値以内でずれたサンプルタイミングの検出を行い、該ずれたサンプルタイミングについての相関値に、該ずれたサンプルタイミングとの間のタイミング差が前記所定値以内である前記逆拡散タイミングとして用いたサンプルタイミングについての相関値に２の累乗分の１を乗じた量が上乗せされるように相関値の調整を行い、
前記逆拡散部は、該相関値の調整を行った上で逆拡散タイミングとして採用された逆拡散タイミングに従って、受信信号の逆拡散を行う、
ことを特徴とする受信装置。
【発明の詳細な説明】
【技術分野】
【０００１】
本発明は、一般に、スペクトラム拡散通信方式における復調方式に関連し、特に、パスタイミング検出装置を備えた受信装置に関する。スペクトラム拡散通信技術を利用した方式としては、例えば、符号分割多重アクセス（ＣＤＭＡ：Ｃｏｄｅ  Ｄｉｖｉｓｉｏｎ  Ｍｕｌｔｉｐｌｅ  Ａｃｃｅｓｓ）方式が挙げられる。
【背景技術】
【０００２】
ＣＤＭＡの１つであるＤＳ−ＣＤＭＡ（Ｄｉｒｅｃｔ  Ｓｅｑｕｅｎｃｅ−ＣＤＭＡ）では、送信情報のデータ系列を、そのシンボル・レート（ｓｙｍｂｏｌ  ｒａｔｅ）より高速なユーザに固有の拡散符号を利用して、広帯域の信号に拡散して伝送する。受信側では、送信側で拡散に使用したのと同じ同期した拡散符号を用いて逆拡散して復調を行うことにより、送信情報のデータ系列が再生される。受信信号のうち他のユーザに関するものは、拡散符号が異なるのでノイズとなる。
【０００３】
一方、移動端末が通信を行う場合には、マルチパス伝搬環境の影響を受ける。すなわち、直接波だけでなく地面や建物その他の障害物により反射した後に移動端末に到達する間接波の影響をも移動端末は受信することとなる。しかし、拡散符号を用いて受信信号を逆拡散すると、受信信号は伝搬遅延時間の異なる複数のマルチパス成分に分離することができる。分離された各成分を、例えば最大比合成のような手法で適切に合成すると、パス・ダイバーシチ（ｐａｔｈ  ｄｉｖｅｒｓｉｔｙ）効果により、Ｓ／Ｎ比を向上させることが可能になる。このような処理を良好に行う前提となる逆拡散は、受信タイミングに正確に同期して行う必要があるので、各パスの受信タイミングを検出するパス・サーチ（ｐａｔｈ  ｓｅａｒｃｈ）を行う必要がある。
【０００４】
パス・サーチは、整合フィルタ（ＭＦ：Ｍｕｔｃｈｅｄ  Ｆｉｌｔｅｒ）を利用して、あるサンプル数の範囲内で、拡散符号のタイミングを１サンプルずつずらしながら相関を求め、各タイミングにおける電力（電力プロファイル）を計算する。この電力プロファイルに基づいて、電力値の大きなパスの順にパスを必要な数だけ選択する。パス・タイミング（ｐａｔｈ  ｔｉｍｉｎｇ）は、移動端末の移動を含む通信環境の変化によって変動するので、定期的にパス・サーチを行ってパスの検出及び更新を行う必要がある。
【０００５】
図１は、受信信号の振幅レベルと時間の関係を例示するグラフである。例えば１０ｍｓである期間Ｔ１，Ｔ２，Ｔ３の間にパス・サーチが行われ、各パスに対するタイミングを検出および更新する。更新されたパス・タイミングを利用して、受信信号の復調処理が行われ、次のパス・サーチが始まるまで、更新したパス・タイミングを継続して利用する。パス・サーチは例えば２００ｍｓ毎の周期（Ｔｓ）で行われる。パス・タイミングの検出が精度高く良好に行われるならば、以後の復調も良好に行うことが可能になる。
【０００６】
しかしながら、移動通信環境下ではフェージングの影響を受けるのが一般的である。このため、図１に示されるように受信信号の振幅レベルは激しく変動する。パス・サーチを行う時間にたまたまフェージングの影響を受けた場合は、期間Ｔ１に示すように、全体的に振幅レベルの低い受信信号でパス・サーチを行うこととなる。そうなると、適切なパス・タイミングを見出すことができなくなり、以後行われる復調も良好に行われず、受信品質の劣化を招くという問題がある。
【０００７】
期間Ｔ２やＴ３のように、充分に大きな振幅レベルが得られている期間にパス・サーチが行われるならば、パス・サーチも良好に行われ得る。従って、パス・サーチを行う頻度を増やせば、上記の問題を解決することが可能である。しかし、パス・サーチの周期を短くしてパス・タイミングの検出および更新の頻度を増加させることは、それだけ多くの電力を必要とする。このことは、小さなバッテリを使用する携帯機器のような電力消費に配慮しなければならない製品にとって不利であることを意味する。むしろ、電力消費を小さくする観点からは、パスサーチを行う頻度を少なくすることが好ましい。
【発明の開示】
【発明が解決しようとする課題】
【０００８】
本願課題は、パス・タイミングの検出周期を短くする手法とは別に、適切なパス・タイミングの検出を可能にすることである。
【課題を解決するための手段】
【０００９】
本発明の一形態では、
拡散コードにより拡散された受信信号と逆拡散コードとの相関をパスサーチ期間毎に各サンプルタイミングについて求め、求めた相関に基づいて該各サンプルタイミングから逆拡散タイミングとして用いるタイミングを選択し、逆拡散部に与えるパスサーチ部を備えた受信装置が使用される。本受信装置は、
前記パスサーチ部は、あるサーチ期間における各サンプルタイミングのうち、該あるパスサーチ期間の直前又はそれ以前のパスサーチにより前記逆拡散タイミングとして用いたサンプルタイミングとの間のタイミング差が所定値以内でずれたサンプルタイミングの検出を行い、該ずれたサンプルタイミングについての相関値に、該ずれたサンプルタイミングとの間のタイミング差が前記所定値以内である前記逆拡散タイミングとして用いたサンプルタイミングについての相関値に２の累乗分の１を乗じた量が上乗せされるように相関値の調整を行い、
前記逆拡散部は、該相関値の調整を行った上で逆拡散タイミングとして採用された逆拡散タイミングに従って、受信信号の逆拡散を行う、
ことを特徴とする受信装置である。
【発明の効果】
【００１０】
本発明によれば、過去のパスサーチの結果を利用して、適切なパス・タイミングを検出することが可能になる。
【発明を実施するための最良の形態】
【００１１】
図２は、本願実施例によるパス・タイミング検出装置２１８（パスサーチ部）を含むスペクトラム拡散通信方式（例えば、ＣＤＭＡ通信方式）に対応した受信装置の部分概略図を示す。アンテナ（図示せず）から受信した受信信号はダウンコンバートされ、アナログ・ディジタル変換器２０２に入力される。アナログ・ディジタル変換器２０２の出力は、逆拡散部として機能するレイク・フィンガ（Ｒａｋｅ  ｆｉｎｇｅｒ）２０４の各々に入力される。各レイク・フィンガ２０４は、個々のマルチパス伝送路に関連付けられる。
【００１２】
各レイク・フィンガ２０４はパス・タイミング検出装置２１８からのタイミング情報に基づいて、受信信号と拡散符号の相関をとるための相関器２０６と、受信信号と既知信号の相関出力に基づいてフェージング変動を補償するためのチャネル推定器２１０と、相関器２０６とチャネル推定器２１０に結合された乗算器２１２を有する。これらのレイク・フィンガ２０４からの出力は、合成部２１４に入力され、最大比合成（ＭＲＣ：Ｍａｘｉｍａｌ  Ｒａｔｉｏ  Ｃｏｍｂｉｎｉｎｇ）が行われる。これは、各パスの受信電力に応じた重みを考慮して合成するものであり、例えば、ＳＩＲ（Ｓｉｇｎａｌ  ｔｏ  Ｉｎｔｅｒｆｅｒｅｎｃｅ  Ｒａｔｉｏ）の大きなパスは信頼度が高いので大きな重みが与えられる。合成部２１４で合成された信号は、以後、誤り訂正等が行われ送信データ系列が再生される。
【００１３】
一方、アナログ・ディジタル変換器２０２の出力は、パス・タイミング検出装置２１８にも入力される。パス・タイミング検出装置２１８は、逆拡散を行うことによって希望する信号を高いＳ／Ｎ比で検出するための整合フィルタ２２０と、整合フィルタ２２０に接続され、逆拡散された信号の電圧レベルを各サンプルタイミング毎に（例えば、図１のパスサーチ期間Ｔ１内の各サンプルのタイミング毎に）、所定数だけ加算する電圧加算手段２２２を有する。パス・タイミング検出装置２１８は、電圧加算手段２２２に接続され、所定数だけ加算された電圧レベルを二乗することにより、各タイミングにおける電力値を求める電力加算手段２２４を有する。パス・タイミング検出装置２１８は、電力加算手段２２４に結合され、電力値（相関情報の一種である）の大きい順に所定数のパス・タイミングを選択するパス・タイミング選択手段２２６を有する。整合フィルタ２２０ないし電力加算手段２２４により、受信信号と所定のコードとの相関（相関値）を求めている。選択されるパス・タイミングの数は、使用されるレイク・フィンガ２０４の数、すなわち想定するマルチパス伝送路の数に対応する。本実施例では、簡単のため３つとする。更に、パス・タイミング検出装置２１８は、パス・タイミング選択手段２２６に接続され、パス・タイミングとして選択されたタイミング情報およびそのタイミングにおける電力値を保存するメモリ（保存手段）２２８を有する。
【００１４】
図３は、本願実施例によるパス・タイミング検出装置２１８の動作を示すフローチャートを示す。概して、パス・タイミング検出装置は、拡散コードにより拡散された受信信号と逆拡散コードとの相関値を、周期的なパスサーチ期間（例えば、図１におけるＴ１の期間）毎に、各サンプルタイミングについて求める。これらの相関値に基づいて、各サンプルタイミングから逆拡散タイミングとして用いるタイミングを選択し、それをレイク・フィンガ２０４に提供する。このフローチャートは、アナログ・ディジタル変換器２０２の出力を受信するステップ３０２から始まり、ステップ３０４において整合フィルタ２２０による逆拡散が行われる。ステップ３０６では、逆拡散されたサンプルの振幅レベル（電圧レベル）を各サンプルタイミング毎に（例えば、図１のパスサーチ期間Ｔ１の各サンプルタイミング毎に）所定数だけ加算することによって、各タイミングにおける加算された電圧レベルが算出される。ステップ３０８では、加算された電圧レベルを二乗することにより電力値を計算し、この電力値を各サンプルタイミング毎に（例えば、図１のパスサーチ期間Ｔ１の各サンプルタイミング毎に）所定数だけ加算することによって、各タイミングにおける電力値を算出する。従来とは異なり、本実施例では、この加算において更に、過去の（好ましくは直前に）パス・タイミングと同一のサンプル・タイミング、当該タイミングと所定時間内のサンプル・タイミングについての電力値に、当該過去（好ましくは直前に）に選択されたパスタイミングにおける電力値に基づく値が加えられている。
【００１５】
図４，５を参照しながら、この値について説明する。電力計算では、各サンプルタイミングにおける電力が次々と加算され、最終的にピークおよびバレーの起伏を示す電力プロファイルが、例えば図４に示されるように形成される。この例では、４つのパスが示され、電力値は大きい順にＰ１，Ｐ２，Ｐ３，Ｐ４であり、対応するタイミングはｔ１，ｔ２，ｔ３，ｔ４である。そして、パス・タイミング選択手段２２６により、電力値の大きい順に例えば３つのパスが選択される。選択されたパス・タイミングｔ１，ｔ２，ｔ３およびその電力値Ｐ１，Ｐ２，Ｐ３は、メモリ２２８に保存される。メモリへのこの保存は、今回のフローが始まる以前に行われる。
【００１６】
次に、今回のフローにおけるステップ３０８で電力計算を行う際に、このパス・タイミングｔ１，ｔ２，ｔ３に等しいタイミングに、電力値Ｐ１／２，Ｐ２／２，Ｐ３／２を加える。この様子が図５に示されている。過去にパス・タイミングとして選択されなかったタイミングでは、例えば初期状態の電力値がゼロの状態から順に電力値が加算され、電力プロファイルの一部を形成してゆく。しかし、過去に（好ましくは直前に）パス・タイミングとして選択されたタイミング（ｔ１，ｔ２，ｔ３）では、選択時の電力値の半分が電力値に加えられており、この過去の同一サンプルタイミングについての電力値が上乗せされて電力プロファイルの一部を形成してゆく。その結果、前回パス・タイミングとして選択されたタイミングは、たとえフェージングにより信号レベルが一時的に落ち込んでいたとしても、今回のパス・タイミングとして選択される可能性が高くなる。
【００１７】
ステップ３１０では、このようにして計算された電力プロファイルに基づいて、パスを選択する。最大の電力値を有するパスタイミングを選択する。（２回目以降の選択では、当該ステップで既に選択されたパスタイミングを除く。）
ステップ３１２では、既に選択されたパスタイミングとのタイミング差が例えば２サンプル以上離れているか否かを判別し、離れていなければ、それらを除いて電力値の大きい方から所定数の別のパスを選択するようステップ３１０に戻る。というのは、パスとして選択されるタイミングの近傍は、真に大きな値でなくてもフィルタの影響等に起因して大きくなり得るので、パス・タイミングとして採用することを回避するためである。本実施例では、前後２サンプルのパスについては、電力値が小さい方のパスを選択しないようにしているが、他の数値を採用することも可能である。
【００１８】
ステップ３１４では、ステップ３１２で所定のサンプル数以上離れているパスが、ある閾値より大きいか否かが判別される。これにより、有効な信号対干渉雑音比（ＳＩＲ）を有するパスを選択することが可能になる。パスが閾値を超えなかった場合は、ステップ３２０に移る。なお、ステップ３１２および３１４は、逆の順序で行っても良いし、同時に行うことも可能である。
【００１９】
ステップ３１６では、ステップ３１４で閾値を超えることが確認されたパスを、パス・タイミングとして決定する。
【００２０】
ステップ３１８では、選択したパスが所定数（本実施例では３つ）に達したか否かが判定され、達していなければステップ３１０に戻って次のパスを選択する。但し、未選択のパスタイミングのいずれの電力値も（ステップ３１４における）閾値以下であれば、ステップ３２０に移行する。
【００２１】
ステップ３２０では、選択した各パス・タイミングを各レイク・フィンガ２０４に提供する。これにより、各々のマルチパスを介して受信した信号をそれぞれについて適切なタイミングで、精度高く逆拡散を行うことが可能になる。さらに、パス・タイミングとして選択されたタイミングおよびそのタイミングにおける電力値は、メモリ２２８に保存される。保存された内容は、ステップ３２２における次回の電力計算に使用される。このようにしてパス・タイミングが選択され、今回のパスタイミング検出のフローはステップ３２４にて終了する。
【００２２】
図６は、本願実施例によるパス・タイミング検出装置２１８の動作を示す他のフローチャートを示す。図３のフローチャートで説明したものと同様のステップは、参照番号の下２桁を図３に示すものと同一とした。フローは、ステップ６０２から始まり、整合フィルタによる逆拡散（ステップ６０４）、電圧レベルの算出（ステップ６０６）、電力値および電力プロファイルの算出（ステップ６０９）が行われる。ただし、この場合における電力プロファイルの算出（ステップ６０９）では、図３のステップ３０８とは異なり、過去（例えば、直前）に選択されたパスタイミングに対応する電力値を用いた加算は行わず、ゼロから電力値が次々と加算されてゆく。
【００２３】
ステップ６１０では、このようにして計算された電力プロファイルに基づいて、パスを選択する。最大値を有するパスタイミングを選択する（２回目以降では、当該ステップで既に選択されたパスタイミングを除く。）。
【００２４】
ステップ６１２では、既に選択されたパスタイミングとのタイミング差が２サンプル以上離れているか否かを判別し、離れていなければステップ６１０に戻り、離れていればステップ６１６に進んでパス・タイミングとして採用することを決定する。
【００２５】
ステップ６１８では、所定数のパスが採用決定されたか否かが判定され、否であればステップ６１０に戻り、採用決定されていれば、ステップ６１９に進む。尚、所定数に至らなくとも、所定の電力値以上のパスタイミングのもので未選択のものがなければ、ステップ６１９に進む。
【００２６】
ステップ６１９では、過去の電力値を考慮して再定義された電力値に基づいて、パスが決定されたか否かが判定される。最初の場合は、過去の電力値を考慮せずにパスを決定したので、このステップにおける判定結果はＮＯであり、ステップ６２１に進む。
【００２７】
ステップ６２１では、メモリ２２８に格納されている過去の（好ましくは直前の）パスサーチ結果を利用して、ステップ６１０で選択するパス候補となるサンプルタイミング群を再定義する。すなわち、ステップ６１６で選択された今回のパス・タイミング（ｓｉ）と、前回のパスサーチで選択されたパス・タイミング（ｔｉ）から成る再選択集合を定義する。この再選択集合の中から、所定数のパスを改めて選択するために、ステップ６１０に戻り、再選択集合に含まれるサンプルタイミングについて上述した手順（ステップ６１０ないしステップ６１８）を再度行い、再びステップ６１９に至る。過去の電力値に基づく再選択集合に基づいてパスを選択したので、ステップ６１９における判定はＹＥＳになり、ステップ６２０に進む。
【００２８】
ステップ６２０では、選択されたパス・タイミングを、各レイク・フィンガ２０４に与え、タイミング情報をメモリ２２８に保存し、ステップ６２４にて今回のパスサーチのフローは終了する。
【００２９】
なお、ステップ６２１における再選択集合は、前回および今回選択したパスタイミングにより形成されるので、最大でレイク・フィンガ数の２倍の集合の要素を有することになる。本実施例では、再選択集合は、６（＝３＋３）つのパス・タイミングおよび関連する電力値より成る。この場合において、前回および今回のサンプルタイミング差が所定値（ａ）以下の場合（｜ｓｉ−ｔｉ｜<ａ）には、大きな電力値を有するものを残し、小さい方を破棄することによって、再選択集合を形成することは、計算労力を削減する等の観点から有利である。尚、サンプルタイミングｔｉにおける各電力値には、所定の因子（例えば、１／２）が乗ぜられた値を用いることが望ましい。
【００３０】
本実施例によれば、過去の電力値を利用することなく電力値（電力プロファイル）を計算することができる。このため、例えば単なる反復的な加算を行うにすぎない電圧や電力の計算を行うハードウエアと、電力値の比較や判断を要するパス選択を行うディジタル信号プロセッサ（ＤＳＰ）とに分けてシステムを構築することが容易になる点で有利である。ただし、図３の実施例では、前回選択されたパス・タイミングは初期値（Ｐｉ／２）に更に電力値を上乗せすることによって、パス選択のための電力値が計算されるのに対して、図６の実施例では旧電力値の半分（Ｐｉ／２）のみがパス選択の電力値となる。このため、図３の実施例は、前回の状況をより強く反映して今回のパス選択を行う場合に有利であり、図６の実施例は過去の状況を反映しつつ今回の状況に重きをおく場合に有利であると言える。
【００３１】
図３の実施例では、過去（例えば、直前）のパスサーチ（例えば、図１のパスサーチ期間Ｔ２の間）で選択したパス・タイミングの電力値（旧電力値）の半分を、今回のパスサーチ（例えば、図１のパスサーチ期間Ｔ３）において、同一タイミングの電力値に加算した。
【００３２】
しかしながら、同じタイミングだけでなく、過去（例えば、直前）にパスタイミングとして選択したサンプルタイミングの近傍（例えばその前後２サンプル）のサンプルタイミングの電力値にも、当該過去（例えば、直前）に選択したサンプルタイミングの電力値（旧電力値）の半分を、加算することも有利である。上述したように、過去に選択されたパス・タイミングの近傍は、フィルタの影響によって大きな電力値となる場合もあるが、通信環境の変化によって、今回選択されるべきパスが前回のものから僅かに変動する場合もある。この場合に、同一タイミング間でのみ旧電力値（の半分）を加算したのでは、変動したパス・タイミングの検出（追従）が困難になり得る。同一タイミングだけでなくその前後のサンプルタイミングにも旧電力値（の半分）を加算することによって、真のパスである可能性の高いパスの選択性が高まる。なお、ステップ３１２またはステップ６１２により、タイミングが近接するサンプルタイミング間で、最大の電力値を持つサンプルタイミングだけ採用（選択）されることとなる。
【００３３】
また、図３のステップ３１４で使用する閾値は、次のように設定することもできる。例えば、（１）別途測定した受信品質（例えば、ＳＩＲ）を基準に設定する、（２）選択済みであって隣接するパスの電力値の２０％以上のような選択済みのパスの大きさを基準に設定する、（３）パスとして選択されなかったサンプルタイミングの平均電力の所定数倍、のように設定することが考えられる。いずれにせよ、本実施例によるパス・タイミングの検出は、過去のパスサーチにおいて算出したサンプルタイミングの電力値情報を利用するので、選択されたパスタイミングと同一のタイミングの電力値は大きくなり（特に、図３の実施例）、パスとして選択されなかったサンプルタイミングの電力値との差異がより明瞭になる。このため、設定する閾値を従来のものより大きくすることが可能になり、パスの検出精度を向上させることが可能になる。例えば、従来の閾値を、パスとして選択されなかったタイミングにおける平均電力の４倍としていた場合、本発明を利用することにより例えば６倍に増やすことが可能になる。
【００３４】
以上説明したように、本願実施例によれば、過去に選択された旧パス・タイミングおよびそのタイミングにおける電力値が保存され、保存していた電力値に所定の因子（ウエイト）を乗じることにより得られる電力値を、同一サンプルタイミングにおける電力値に加算する。過去にパス・タイミングとして選択されたサンプルタイミングは今回もパス・タイミングとして選択される可能性が強く、過去のパスサーチ情報を有効に利用して精度の高いパス・タイミングを検出することが可能になる。選択されるべきパス・タイミングがフェージングにより落ち込んでいたとしても、電力値の加算により救済することができるので、適切なパス・タイミングの検出が可能になる。
【００３５】
移動体の移動等により通信環境が変化すると、信号が到達するタイミングも変動する。しかしながら、例えば、移動体があるビルの陰にいる時間を考えると、数１００ｍｓ以上は同じパス・タイミングが続くことが予想される。したがって、過去に選択したパス・タイミングの情報を利用して、現在のパス・タイミングの状況を表現することは有意義である。また、過去の情報を使うと、フェージングの影響を平均化することにもなるので、フェージングにより受信レベルが一時的に落ち込んだ場合であっても、本来の正しいパスを選択することが可能になる。
【００３６】
本願実施例によれば、各パスサーチ期間における各サンプルタイミングに対して、該各パスサーチ期間の過去の（直前又はそれ以前の）パスサーチにより前記逆拡散タイミングとして採用したサンプルタイミングとタイミング差が所定値以内であるか否かを判定する。本願実施例によるパス・タイミング検出装置は、このタイミング差が所定値以内であるサンプルタイミングは、タイミング差が所定値より大きいサンプルタイミングに比して逆拡散タイミングとして選択され易いように形成されている。
【００３７】
本願実施例（図３）によれば、電力加算手段は、各サンプルタイミングの電力値を算出する際に、過去（直前）のパスサーチにおいてパスタイミングとして選択されたサンプルタイミングの電力値を加算するよう形成される。同一タイミング間で電力値を加算することにより、最終的な電力値が算出されるので、過去（直前）にパスタイミングとして選択されたサンプルタイミングは、パス・タイミングとして選択される可能性が高くなる。
【００３８】
本願実施例によれば、所定の因子が２の累乗分の１であり、例えば部分電力値は旧電力値の半分である。１／２以外の因子を採用することも一般的には可能である。しかし、因子が２の累乗分の１ならば、２進表記における数の始点を適切にシフトすることによって得られるので、計算労力ひいては消費電力を軽減することが可能になる。例えば、１０進法の「８」は２進表記で１０００であり、「４」は０１００であり、「２」は００１０であり、「１」は０００１である。１桁ずつ右にずらすことにより１／２の値が得られる。
【００３９】
本願実施例（図６）によれば、各パスサーチ期間内の受信信号について算出した現電力値に基づいて第１パス・タイミング候補を選択し、選択したこの候補に過去（直前）のパスサーチでパス・タイミングとして選択したサンプルタイミングの中から、改めて所定数のサンプルタイミングをパス・タイミングとして選択する。電力値を計算する際に過去の電力値を使用する必要はないので、電力加算手段とパス・タイミング選択手段とを別個の回路要素として構築することが可能になる。
【００４０】
本願実施例によれば、電力加算手段は、過去（直前）のパスサーチにおいてパス・タイミングとして選択したサンプルタイミングと所定のタイミング差以内の各サンプルタイミングの電力値に、この選択したサンプルタイミングにおける電力値又は所定の重み付けされた値が加算される。これにより、パスタイミングが僅かに変動したとしても精度良く迅速に追従することが可能になる。
【００４１】
本願実施例によれば、パス・タイミング選択手段が、互いに所定のサンプル数以上離れたサンプルタイミングをパス・タイミングとして選択するよう形成される。これにより、送受信フィルタの応答等の影響で電力値が大きくなってしまった適切なサンプルタイミングに隣接するサンプルタイミングを、パス・タイミングとして選択してしまうことを回避することが可能になり、検出精度を向上させることが可能になる。
【００４２】
以下、本発明が教示する手段を列挙する。
（付記１）
スペクトラム拡散された信号を受信する受信装置におけるパス・タイミング検出装置であって、
逆拡散された複数のサンプルの電圧レベルを加算することにより算出された電圧加算出力に基づいて電力値を算出し、各タイミングにおける現電力値を算出する電力加算手段と、
電力値に基づいて、各タイミングの中から、パス・タイミングを選択するパス・タイミング選択手段と、
過去に選択された旧パス・タイミング、および旧パス・タイミングにおける旧電力値を保存する保存手段
を有し、旧電力値に所定の因子を乗じることにより得られる部分電力値が、旧パス・タイミングに等しいタイミングばかりでなく、近傍の所定サンプルのタイミングにおける電力値に加算されるよう形成されることを特徴とするパス・タイミング検出装置。
（付記２）
付記１記載のパス・タイミング検出装置において、前記電力加算手段が、旧パス・タイミングに等しいタイミングにおける前記現電力値を算出する際の初期値として、前記部分電力値を加算するよう形成されることを特徴とするパス・タイミング検出装置。
（付記３）
付記２記載のパス・タイミング検出装置において、前記所定の因子が２の累乗分の１であることを特徴とするパス・タイミング検出装置。
（付記４）
付記１記載のパス・タイミング検出装置において、前記パス・タイミング選択手段が、前記現電力値に基づいて選択したパス・タイミングおよび前記旧パス・タイミングの中から、前記現電力値および前記部分電力値基づいて、所定数の又は選択可能なパス・タイミングを選択するよう形成されることを特徴とするパス・タイミング検出装置。
（付記５）
付記１記載のパス・タイミング検出装置において、前記パス・タイミング選択手段が、互いに所定のサンプル数以上離れたタイミングをパス・タイミングとして選択するよう形成されることを特徴とするパス・タイミング検出装置。
（付記６）
付記１記載のパス・タイミング検出装置において、旧パス・タイミングに等しいタイミングにおける前記現電力値に前記部分電力値を加算する代わりに、前記パス・タイミング選択手段が、前記現電力値および前記部分電力値のいずれか大きい方を利用してパス・タイミングの選択を行うよう形成されることを特徴とするパス・タイミング検出装置。
（付記７）
拡散コードにより拡散された受信信号と逆拡散コードとの相関を周期的なパスサーチ期間毎に各サンプルタイミングについて求め、求めた相関に基づいて該各サンプルタイミングから逆拡散タイミングとして用いるタイミングを選択し、逆拡散部に与えるパスサーチ部を備えた受信装置において、
前記パスサーチ部は、各パスサーチ期間における各サンプルタイミングのうち、該各パスサーチ期間の直前又はそれ以前のパスサーチにより前記逆拡散タイミングとして用いたサンプルタイミングとの間にタイミング差があるサンプルタイミングであっても該差が所定値以内である場合には、タイミング差が所定値以上であるサンプルタイミングに比して逆拡散タイミングとして選択され易いようにする調整手段を備え、
前記逆拡散部は、選択された逆拡散タイミングに従って、受信信号の逆拡散を行う、
ことを特徴とする受信装置。
【図面の簡単な説明】
【００４３】
【図１】時間に対する受信信号の振幅レベルを示すグラフである。
【図２】本願実施例によるパス・タイミング検出装置を含む受信装置の部分概略図を示す。
【図３】本願実施例によるパス・タイミング検出装置の動作を示すフローチャートを示す。
【図４】電力プロファイルの模式図を示す。
【図５】電力プロファイルの計算に使用する初期値を示す図である。
【図６】本願実施例によるパス・タイミング検出装置の動作を示す他のフローチャートを示す。
【符号の説明】
【００４４】
Ｔ１，Ｔ２，Ｔ３  パス・サーチ期間
Ｔｓ  パス・サーチの周期
２０２  アナログ・ディジタル変換器
２０４  レイク・フィンガ
２０６  相関器
２０８  遅延素子
２１０  チャネル推定器
２１２  乗算器
２１４  合成部
２１８  パス・タイミング検出装置
２２０  整合フィルタ
２２２  電圧加算手段
２２４  電力加算手段
２２６  パス・タイミング選択手段
２２８  保存手段
Ｐ１，Ｐ２，Ｐ３，Ｐ４  電力値
ｔ１，ｔ２，ｔ３，ｔ４  タイミング
Ｑ１，Ｑ２，Ｑ３  電力値
ｓ１，ｓ２，ｓ３  タイミング
【図１】
0004431601.tif 000002
【図２】
0004431601.tif 000003
【図３】
0004431601.tif 000004
【図４】
0004431601.tif 000005
【図５】
0004431601.tif 000006
【図６】
0004431601.tif 000007